(57)【要約】【課題】重力の作用で垂れ下がり易い先端部内部に浮力室を形成することにより、操作性を向上できるガイドワイヤの提供。【解決手段】少なくともコイル先部３１が放射線不透過材からなるコイルスプリング体３内に、先端側部２１が細径で手元側部２２が太径の芯材２の先端側部２１を貫挿するとともに、コイルスプリング体３の先端と芯材２の先端とを固着し、コイルスプリング体３の外周に樹脂被覆４を施した医療用ガイドワイヤ１において、コイルスプリング体３のコイル先部３１内に浮力室５を形成した。【選択図】図１
2007082943.tif 000002
【特許請求の範囲】
【請求項１】
少なくとも先端部が放射線不透過材からなる放射線不透過部を有するコイルスプリング体内に、先端側が細径で、かつ多段偏平部を有し、手元側が太径の芯材の前記先端側を貫挿するとともに、前記コイルスプリング体の先端と前記芯材の先端とを気密的に固着し、前記コイルスプリング体の外周に樹脂被覆を施した医療用ガイドワイヤにおいて、
前記コイルスプリング体の前記放射線不透過部内に浮力室を形成したことを特徴とする医療用ガイドワイヤ。
【請求項２】
請求項１に記載の医療用ガイドワイヤにおいて、前記コイルスプリング体は、放射線不透過材と放射線透過材とを溶接により接合して、縮径伸線加工後の線材をコイル状に螺旋巻きして形成され、先端側を前記放射線不透過材のコイル体にしたことを特徴とする医療用ガイドワイヤ。
【請求項３】
請求項１に記載の医療用ガイドワイヤにおいて、前記浮力室は、前記芯材と前記コイルスプリング体とを固定するロー材等と、前記コイルスプリング体の外周を包被する前記樹脂被覆とにより密閉されていることを特徴とする医療用ガイドワイヤ。
【請求項４】
請求項１に記載の医療用ガイドワイヤにおいて、前記浮力室は、前記芯材と前記コイルスプリング体とを固定するロー材等と、前記コイルスプリング体の外周を包被する前記樹脂被覆とにより密閉されており、
前記樹脂被覆は、疎水性被覆の固体層である第一層と、親水性被覆の塗布により湿潤時に潤滑特性を示す流動層の第二層とから成っていることを特徴とする医療用ガイドワイヤ。
【請求項５】
請求項１に記載の医療用ガイドワイヤにおいて、前記浮力室は、前記芯材と前記コイルスプリング体とを固定するロー材等と、前記コイルスプリング体の外周を包被する前記樹脂被覆とにより密閉されており、
前記樹脂被覆は、疎水性ポリマーと親水性ポリマーとの混合物から成り、
前記疎水性ポリマーの重量比が前記親水性ポリマーの重量比よりも大きな第一層を有し、この第一層の外層側に前記親水性ポリマーの重量比が前記第一層における前記親水性ポリマーの重量比よりも大きくて、前記外層側からさらに外層方向に至るにつれて前記親水性ポリマーの重量比が次第に大きくなる層を設けたことを特徴とする医療用ガイドワイヤ。
【請求項６】
請求項１〜５のいずれか１つに記載の医療用ガイドワイヤにおいて、前記芯材と前記コイルスプリング体がロー材等により固定された前記浮力室は、発泡体を封入して形成されていることを特徴とする医療用ガイドワイヤ。
【請求項７】
請求項１〜５のいずれか１つに記載の医療用ガイドワイヤにおいて、前記芯材と前記コイルスプリング体がロー材等により固定された前記浮力室は、繊維綿または繊維束を封入して形成されていることを特徴とする医療用ガイドワイヤ。
【請求項８】
請求項１〜５のいずれか１つに記載の医療用ガイドワイヤにおいて、前記芯材と前記コイルスプリング体がロー材等により固定された前記浮力室は、発泡ビーズまたはマイクロバルーンを封入して形成されていることを特徴とする医療用ガイドワイヤ。
【請求項９】
請求項１〜８のいずれか１つに記載の医療用ガイドワイヤにおいて、
前記芯材の手元側を含む部分は、多条中空コイル体の接続により構成されていることを特徴とする医療用ガイドワイヤ。
【請求項１０】
先端部と手元側とを有する芯材の先端部を徐変縮径加工する工程と、
芯材先端部を所定長さに切断後、多段偏平状にプレス加工する工程と、
前記芯材先端部の外周にコイルスプリング体を挿入して前記芯材と固定する工程と、
前記コイルスプリング体の少なくとも外周全体に樹脂被覆を形成後、ディッピング工法により親水性ポリマーを前記樹脂被覆に塗布する工程とを備えたことを特徴とする医療用ガイドワイヤの製造方法。
【請求項１１】
先端部と手元側とを有する芯材の先端部を徐変縮径加工する工程と、
芯材先端部を所定長さに切断後、多段偏平状にプレス加工する工程と、
前記芯材先端部の外周にコイルスプリング体を挿入して前記芯材と固定する工程と、
混合比が異なる疎水性ポリマーと親水性ポリマーとの混合物から樹脂被覆が構成されて前記コイルスプリング体の外周に形成される時、ディッピング工法により、外層方向に至るにつれて前記親水性ポリマーの混合比が高くなるよう前記混合物を前記コイルスプリング体に塗布する工程を備えたことを特徴とする医療用ガイドワイヤの製造方法。
【請求項１２】
請求項１０または１１に記載の医療用ガイドワイヤの製造方法において、
前記芯材先端部の多段偏平形状は、長さ方向に横断面積が略同一に形成された構造を有することを特徴とする医療用ガイドワイヤの製造方法。
【請求項１３】
請求項１〜９のいずれか１つに記載の医療用ガイドワイヤとカテーテルとの組立体において、前記医療用ガイドワイヤの外径は、概ね０．２５４ｍｍ（０．０１０インチ）で、内径が概ね１．７ｍｍから２．０ｍｍの前記カテーテル内へ挿入されるようになっていることを特徴とする医療用ガイドワイヤとカテーテルとの組立体。
【発明の詳細な説明】
【技術分野】
【０００１】
この発明は、血流を有効利用して血管内への到達性を改善した医療用ガイドワイヤに関する。
【背景技術】
【０００２】
血管にカテーテルを挿入する際にまずガイドワイヤを人体の目的箇所に挿入する必要があり、湾曲部など挿入の困難な位置に円滑にガイドワイヤを到達させるため、各種の提案がなされている。
【０００３】
特許文献１には、芯材の先端にＸ線不透過性金属コイルが装着され、この金属コイルの外周を包み込む樹脂チューブおよび樹脂チューブを膨潤させて被覆するガイドワイヤが開示されている。この構成では、樹脂チューブの平滑性による滑り性、血栓付着防止性および芯材先端の細径による挿入時のプッシュアビリティの向上などを得ている。
【０００４】
特許文献２には、柔軟性を有する先端部と剛性の高い本体部が存在し、先端部に高Ｘ線造影性金属が挿入され、全体を樹脂被覆および湿潤時に潤滑特性を示すガイドワイヤが記載されている。この提案では、湿潤時の潤滑性に優れてガイドワイヤの操作性（押し込み、引き戻し）を向上させることを目的としている。
【０００５】
特許文献３には、芯材の先端部に放射線不透過コイルが固定されて、芯材に樹脂被覆および親水性被覆が施され、摩擦係数の低下による操作性を向上させたガイドワイヤが提案されている。
【特許文献１】特開２０００−１３５２８９号公報
【特許文献２】特開平４−９１６２号公報
【特許文献３】実用新案登録第２５８８５８２号公報
【発明の開示】
【発明が解決しようとする課題】
【０００６】
従来のガイドワイヤにおいては、内部空間を血管中において血液ないし血流における浮力を、ガイドワイヤの操作性の向上に有効利用しようとする思想は存在していない。
この発明の目的は、重力の作用で垂れ下がり易いガイドワイヤの内部に浮力室（気室）を積極的に形成することにより、操作性を向上できるガイドワイヤの提供にある。
【課題を解決するための手段】
【０００７】
請求項１に記載の発明は、少なくとも先端部が放射線不透過材からなる放射線不透過部を有するコイルスプリング体内に、先端側が細径で、かつ多段偏平部を有し、手元側が太径の芯材の先端側を貫挿するとともに、コイルスプリング体の先端と芯材の先端とを気密的に固着し、コイルスプリング体の外周に樹脂被覆を施した医療用ガイドワイヤにおいて、コイルスプリング体の放射線不透過部内に浮力室を形成したことを特徴とする。
【０００８】
この構成では、ガイドワイヤの先端部に形成した浮力室が、血管内で血液ないし血流により浮力を受けるため、重力によるガイドワイヤ先端部の垂れ下がりが防止でき、ガイドワイヤの操作性が向上する。
芯材が多段偏平部を有することにより、テーパ形状の芯材に比較して、発明の詳細な説明の欄で後述するように、芯材とコイルスプリング体との間に大きな空間域を浮力室として確保することができる。
【０００９】
芯材先端部に多段偏平部を形成することに伴い、屈曲狭窄病変部での深部挿入を可能とすることができる。すなわち、芯材に多段偏平部を設けることにより、各段差部毎の曲率半径が順次大きくなるように異なった状態に芯材先端部が屈曲変形する。このため、芯材先端部の屈曲変形が容易になり、芯材先端部が屈曲狭窄病変部に沿って忠実に追従しながら進行する利点が得られる。
【００１０】
請求項２に記載の発明は、コイルスプリング体は、放射線不透過材と放射線透過材とを溶接により接合して、縮径伸線加工後の線材をコイル状に螺旋巻きして形成され、先端側を放射線不透過材のコイル体にしたことを特徴とする。
従来の医療用ガイドワイヤは、放射線透視下で使用されるため、放射線不透過コイル体と放射線透過コイル体との組合わせを用いている。この場合、放射線不透過コイル体と放射線透過コイル体とは、コイル部分をねじ込み合った重合部分にハンダ又はロー材等を用いて接合している。
これに対して、請求項２では、コイルスプリング体をコイル状に螺旋巻きするに先立って、放射線不透過材と放射線透過材とを溶接により接合しているので、ハンダやロー材等が不要となり、軽量化を達成して浮力性能の向上に寄与することができる。
【００１１】
請求項３に記載の発明における浮力室は、芯材とコイルスプリング体とを固定するロー材等と、コイルスプリング体の外周を包被する樹脂被覆とにより密閉されていることを特徴とする。これにより、浮力室の気体が外部に漏れることを防ぎ、浮力室の機能が不用意に損なわれてしまうことがない。
【００１２】
請求項４に記載の発明における浮力室は、芯材とコイルスプリング体とを固定するロー材等と、コイルスプリング体の外周を包被する樹脂被覆とにより密閉されており、樹脂被覆は、疎水性被覆の固体層である第一層と、親水性被覆の塗布により湿潤時に潤滑特性を示す流動層の第二層とから成っていることを特徴とする。
この場合、疎水性被覆の固体層とは、ポリウレタン、ポリエーテルブロックアミド、ポリエチレン、ポリアミドおよびフッ素樹脂などにより被覆された固体層のことをいう。親水性被覆の流動層とは、湿潤時に潤滑特性を示す流動層のことをいい、具体的には、ポリビニルピロリドン、無水マレイン酸エチルエステル共重合体およびポリエチレンオキサイドなどによるものである。
【００１３】
請求項５に記載の発明における浮力室は、芯材とコイルスプリング体とを固定するロー材等と、コイルスプリング体の外周を包被する樹脂被覆とにより密閉されており、樹脂被覆は、疎水性ポリマーと親水性ポリマーとの混合物から成り、疎水性ポリマーの重量比が親水性ポリマーの重量比よりも大きな第一層を有し、この第一層の外層側に親水性ポリマーの重量比が第一層における親水性ポリマーの重量比よりも大きくて、外層側からさらに外層方向に至るにつれて親水性ポリマーの重量比が次第に大きくなる層を設けたことを特徴とする。
【００１４】
この場合、親水性ポリマーとの混合物として用いる疎水性ポリマーは、セルロースエステル、ポリメチルビニルエーテルと無水マレイン酸との共重合体などであり、セルロースエステルが最も好ましい。そして、疎水性ポリマーの柔軟性を高めるため、樟脳、カストール油あるいはジオクチルフタレートなどの可塑剤を付加してもよい。
【００１５】
請求項６に記載の発明において、芯材とコイルスプリング体がロー材等により固定された浮力室は、発泡体を封入して形成されていることを特徴とする。浮力室への発泡体の封入により、芯材およびコイルスプリング体の塑性変形を効果的に阻止し、弾性復元力を増大することができる。
【００１６】
請求項７に記載の発明において、芯材とコイルスプリング体がロー材等により固定された浮力室は、繊維綿または繊維束を封入して形成されていることを特徴とする。
この場合、医療用ガイドワイヤの先端部に要求される柔軟性を阻害することがなく、浮力室を占有する繊維綿または繊維束の量を調整することにより比較的容易に浮力室を形成することができる。
【００１７】
請求項８に記載の発明において、芯材とコイルスプリング体がロー材等により固定された浮力室は、発泡ビーズまたはマイクロバルーンを封入して形成されていることを特徴とする。
この場合、発泡ビーズまたはマイクロバルーンは隣接中空粒子などとの接触点が少なく、浮力室の形成に好都合な空隙を多く形成することができる。また、無機材料のマイクロバルーンを用いることにより、屈曲変形時の耐圧縮荷重に強く、内包された気体を外部に漏らすことがない。
【００１８】
請求項９に記載の発明において、芯材の手元側を含む部分は、多条中空コイル体の接続により構成されていることを特徴とする。
この際、手元側において、中実体を用いた例と、多条中空コイル体内に中実体の芯材を用いた例とを比較した場合、手元側の外径が同一外径の時、外装に多条中空コイル体を用いれば、隣接素線間に凹状の隙間が生じているので、中実体の芯材に比べて軽量化を図ることができる。また、芯材を血管に挿入する際、血液が多条中空コイル体に沿って螺旋状に流動することにより、芯材に推進力を付与して狭窄病変部への深部挿入が可能となる。  
【００１９】
請求項１０に記載の発明において、先端部と手元側とを有する芯材の先端部を徐変縮径加工する工程と、芯材先端部を所定長さに切断後、多段偏平状にプレス加工する工程と、芯材先端部の外周にコイルスプリング体を挿入して芯材と固定する工程と、コイルスプリング体の少なくとも外周全体に樹脂被覆を形成後、ディッピング工法により、親水性ポリマーを樹脂被覆に塗布する工程とを備えたことを特徴とする。
この場合、浮力室の密閉性を維持するとともに、樹脂被覆と血管壁との摩擦を軽減させることができる。芯材先端部を多段偏平状に加工しているので、テーパ形状の芯材に比較して、芯材とコイルスプリング体との間に大きな空間域を浮力室として確保することができ、かつ多段偏平部では、曲率半径が順次大きくなるように異なった状態に屈曲変形するので、芯材先端部の屈曲変形が容易になり、芯材先端部を屈曲狭窄病変部に沿って忠実に追従させることができる。
【００２０】
請求項１１に記載の発明において、混合比が異なる疎水性ポリマーと親水性ポリマーとの混合物から樹脂被覆が構成されてコイルスプリング体の外周に形成される時、ディッピング工法により、外層方向に至るにつれて親水性ポリマーの混合比が高くなるよう混合物をコイルスプリング体に塗布する工程を備えたことを特徴とする。
この場合、浮力室の密閉性をさらに維持するとともに、樹脂被覆と血管壁との摩擦を一段と軽減させることができる。親水性ポリマーとの混合物として用いる疎水性ポリマーは、請求項５と同様に、セルロースエステル、ポリメチルビニルエーテルと無水マレイン酸との共重合体などであり、セルロースエステルが最も好ましい。
【００２１】
請求項１２に記載の発明において、芯材先端部の多段偏平形状は、長さ方向に横断面積が略同一に形成された構造を有することを特徴とする。
同一横断面積で多段偏平状にされる芯材先端部のプレス加工前における形状は、等径のストレートバーであるのに対して、横断面積が異なって多段偏平状にされる芯材先端部のプレス加工前における形状はテーパ状のバーである。
このため、テーパ状のバーをプレス加工で成形すると、金型が傾く方向にモーメントが働き、プレス加工による芯材先端部の微細な寸法が不安定となり易く金型の寿命も低下する。これに対して、等径のストレートバー、すなわち横断面積が同一で多段偏平状にされる芯材先端部では、プレス成形時に金型が芯材に対して略平行にプレス圧を加える結果となり、芯材先端部の微細な寸法が安定するとともに、金型の寿命も向上する。
【００２２】
請求項１３に記載の医療用ガイドワイヤとカテーテルとの組立体において、医療用ガイドワイヤの外径は概ね０．２５４ｍｍ（０．０１０インチ）で、内径が概ね１．７ｍｍから２．０ｍｍのカテーテル内へ挿入されるようになっていることを特徴とする。  
この場合、浮力室の浮力を利用し、医療用ガイドワイヤの先端部を血流に乗せて血管内深部に挿入することができるので、芯材の細径化に伴い、カテーテルの細径化が可能となって病変部に対する低侵襲性の要請に応え、施術時、患者への負担軽減に寄与することができる。
【発明を実施するための最良の形態】
【００２３】
この発明の最良の実施形態を、図に示す実施例とともに説明する。
【実施例１】
【００２４】
図１は、実施例１の医療用ガイドワイヤ１を示し、医療用ガイドワイヤ１は、芯材（コア）２と、芯材先端部としての芯材２の先端側部２１に同軸的に外嵌めされたコイルスプリング体（以下コイル体）３とを有する。芯材２はステンレス線で形成され、約３００ｍｍの先端側部２１が細径で、残りの約１２００ｍｍまたは約２７００ｍｍが太径の手元側部２２となっている。先端側部２１は、手元側から強テーパー部２３、弱テーパー部２４、円柱部２５、弱テーパー部２６、および多段偏平部２７からなり、例えば、先端から手前側へ向かう板厚が、順に０．０４０ｍｍ、０．０５０ｍｍ、０．０６３ｍｍとなるように設定されている。
多段偏平部２７の横断面積が略同一に形成された構造の場合、金型が先端側部２１に対して略平行状態にプレス成形することになる。これにより、プレス成形後の多段偏平部２７の微細な寸法が安定するとともに、金型の長寿命化も図られる。
【００２５】
コイル体３は、所定長さの白金線とステンレス線とを溶接して所定の外径寸法に伸線加工した後、コイル状に螺旋巻して形成され、芯材２の先端側部２１と同等の約３００ｍｍの全長を有する。このため、コイル体３は、コイル先部３１が約５０ｍｍの白金など放射線不透過材からなり、コイル先部３１の後側のコイル後部３２は約２５０ｍｍのステンレスなどの放射線透過材からなる。
【００２６】
コイル体３は、先端３Ａが芯材２の先端とロー付け部１０により気密的に固着され、後端３Ｂは、芯材２の強テーパー部２３にロー付けされ固着されている。コイル体３の外周および芯材２の手元側部２２には、ポリウレタンなどの樹脂被覆４が施されている。この実施例では、樹脂被覆４の外周を、ポリビニルピロリドンなどの親水性被覆による粘性のある流動層（親水性ポリマー層）４２で被覆している。
【００２７】
コイル体３の、コイル先部（放射線不透過部、以下、不透過コイルとも称する）３１とコイル後部（放射線透過部、以下、透過コイルとも称する）３２との接合部分には、ロー付けにより気密壁１１が形成されている。この結果、コイル体３のコイル先部（不透過コイル）３１内は、ロー付け部１０、気密壁１１および樹脂被覆４により気密性が確保され、内部の空間により浮力室５が形成されている。つまり、ガイドワイヤ１は、先端部１２に浮力室５を備えている。
【００２８】
浮力室５は、以下のような作用、効果を有する。
イ）放射線による造影目的として、ガイドワイヤ１のコイル体３には、少なくともコイル先部３１に白金が用いられるが、白金は比重が２１．４で、ステンレスの比重７．９に比較して約２．７倍である。
ロ）ガイドワイヤ１の先端部１２は柔軟性が要求されるため、芯材２は細径化されている。このため、コイル先部（不透過コイル）３１の比重が大きいほど、自由状態においてガイドワイヤ１の先端部１２は大きく垂れ下がり、この傾向はガイドワイヤ１が差し込まれる血管内の血液流中においても同様である。
【００２９】
ハ）このコイル先部３１が重いガイドワイヤ１を血管内へ挿入すると、ガイドワイヤ１の先端部１２の垂れ下がりにより血管内壁への接触度合いが大きいため、血管の解離または内膜剥離を生じ易い。とくに、血管の分岐位置において、この垂れ下がりにより、手術者が所望の方向へガイドワイヤ１を挿入する際の、血管選択性が低下する。
ニ）この発明では、ガイドワイヤ１の先端部１２に浮力室５を有するため、血管内の血流中では、先端部１２は浮力により垂れ下がりが低減する。このため、ガイドワイヤ１の先端部１２を血流に乗せて、屈曲、蛇行した血管の深部まで、円滑かつ容易に挿入できる。
【００３０】
ホ）浮力室５は密封状態であるため、屈曲時の弾力性が保持されることにより復元力の低下が生じ難い。コイル体３は、放射線不透過材として白金以外に、金、銀、タングステンなどの線材が用いられ、放射線透過材としては生体適合性の関係からステンレス線が使用される。白金線などの放射線不透過材は、ステンレス鋼線に比較してスプリングバック量が小さく塑性変形し易い材料である。たとえば、線径０．０７２ｍｍの線材を外径０．３５５ｍｍのコイル体に巻回形成すると、白金線コイルのほうがステンレス鋼線コイルよりもコイル外径が０．０２ｍｍ以上小さくなる。すなわち、先端部１２に用いられている不透過コイル３１は塑性変形し易いため、屈曲、蛇行した血管内への挿入時において、変形し易く、曲がり癖を生じ易い。
【００３１】
ヘ）この発明のガイドワイヤ１は、この塑性変形し易いコイル先部（不透過コイル）３１の内側に密閉された浮力室５を設けている。このため、屈曲変形時には浮力室５内の気体の圧力が増大し、屈曲変形を解消すれば、増大した内部圧力により元の状態に戻る性質を有する。つまり、気体など充填された浮力室５内の弾性復元力を利用することにより先端部１２の塑性変形を低減させて、先端部１２が常に初期の形状を安定維持できる。
コイル体３は、白金線などの放射線不透過材とステンレス線の放射線透過材とのスプリングバック量の差により、先端部ほど先細り状態に縮径されるとともに、浮力室５の形成に基づく形状の安定維持効果も生じる。この結果、狭窄病変部に対するコイル先部３１の通過性を一段と向上させることができる。
【００３２】
ト）細径化することが可能となるため、浮力室５を設けて血流に乗せて生体の深部に挿入できるため、手術の低侵襲化の要請に応えることが容易で、患者の負担を軽減できる。たとえば心臓血管閉塞部の拡径治療、つまり経皮的経血管冠動脈形成術（ＰＴＣＡ）においては、一般にガイドワイヤは外径０．３５ｍｍ、拡径治療に用いるバルーンカテーテルを導入するカテーテルは７Ｆ〜８Ｆ（内径が２．３ｍｍ〜２．７ｍｍ）が用いられる。ガイドワイヤは、屈曲蛇行血管内の深部へ挿入するために、トルク伝達性、押し込み特性等の各種機械的な特性が要求されるため、一般に用いられる外径は０．３５５ｍｍである。  
【００３３】
芯材２が多段偏平部２７を有することにより、テーパ形状の芯材に比較して、芯材２とコイルスプリング体３との間に大きな空間域を浮力室５として確保することができる。
テーパ形状の芯材と多段偏平部２７を有する芯材２とが同一の縦断面積で、前者の体積と後者の体積との差を求めるため、図２の（イ）に示すように、テーパ面と段差面部との交線で区分された区域を斜線ｈ１、ｈ２を付して区分する。
多段偏平部２７を有する芯材２とテーパ形状の芯材２Ｈとの体積差は、斜線ｈ２を中心軸Ｓの周りに回転させて得られる環状空間の体積Ｖ２と斜線ｈ１を中心軸Ｓの周りに回転させて得られる環状空間の体積Ｖ１との算術差になる。
【００３４】
これらの体積Ｖ１、Ｖ２は、図２の（イ）に記号で示す寸法ａ、ｂ、ｃ、Ａ、Ｂ、Ｃに基づいて截頭円錐体と円柱体との容積公式を用いて下記のように算出される（便宜上、長さ単位は省略）。但し、下記の体積Ｖ１、Ｖ２を算出するにあたっては、寸法ａの始点Ｐを座標の原点として固定している。
Ｖ１＝｛（Ｂ／２）2 ×ｂ｝π−｛（１／３）×（Ｂ／２）2 ×（ａ＋ｂ）−（１／３）×（Ｃ／２）2 ×ａ｝π
＝｛（Ｂ／２）2 −（１／３）×（Ｂ／２）2 ×（ａ＋ｃ）＋（１／３）×（Ｃ／２）2 ×ａ｝π
Ｖ２＝｛（Ａ／２）2 ×（１／３）×（ａ＋ｂ＋ｃ）−（Ｂ／２）2 ×（ａ＋ｂ）×（１／３）−（Ｂ／２）2 ×ｃ｝π
体積差Ｖ２−Ｖ１を計算すると、Ｖ２−Ｖ１＝｛−（Ｂ／２）2 ×（ｂ＋ｃ）＋（Ａ／２）2 ×（１／３）×（ａ＋ｂ＋ｃ）−（Ｃ／２）2 ×（１／３）×ａ｝πとなる。
【００３５】
図２の（イ）に示す幾何学関係からａ／Ｃ＝（ａ＋ｂ）／Ｂ＝（ａ＋ｂ＋ｃ）／Ａ＝ｍ（一定）の等式が得られる。この等式からａ＝Ｃｍ、（ａ＋ｂ）＝Ｂｍ、（ａ＋ｂ＋ｃ）＝Ａｍ、（ｂ＋ｃ）＝（Ａ−Ｃ）ｍ、ｃ＝（Ａ−Ｂ）ｍが成り立つ。
これにより、Ｖ２＝｛（Ａ／２）2 ×（Ａ／３）−（Ｂ／２）2 ×（Ｂ／３）−（Ｂ／２）2 ×（Ａ−Ｂ）｝ｍπ
＝｛Ａ3 ×（１／１２）−Ｂ3 ×（１／１２）−Ｂ2 ×（Ａ−Ｂ）×（１／４）｝ｍπ
＝｛（Ａ−Ｂ）×（Ａ2 ＋ＡＢ−２Ｂ2 ）×（１／１２）｝ｍπ
一方、Ｖ２−Ｖ１＝｛−（Ｂ／２）2 ×（Ａ−Ｃ）＋（Ａ／２）2 ×（Ａ／３）−（Ｃ／２）2 ×（Ｃ／３）｝ｍπ
＝｛−Ｂ2 ×（Ａ−Ｃ）×（１／４）＋Ａ3 ×（１／１２）−Ｃ3 ×（１／１２）｝ｍπ
＝［｛Ａ3 −Ｃ3 −３Ｂ2 ×（Ａ−Ｃ）｝×（１／１２）］ｍπ
＝｛（Ａ−Ｃ）×（Ａ2 ＋Ｃ2 ＋ＡＣ−３Ｂ2 ）×（１／１２）｝ｍπ
【００３６】
ここで、Ｖ１、Ｖ２に基づく体積差の百分率を計算すると、（Ｖ２−Ｖ１）×１００／Ｖ２＝｛（Ａ−Ｃ）×（Ａ2 ＋Ｃ2 ＋ＡＣ−３Ｂ2 ）｝／｛（Ａ−Ｂ）×（Ａ2 ＋ＡＢ−２Ｂ2 ）｝×１００％となる。この際、テーパ形状の芯材２Ｈの径大部はＡｍｍ、径小部はＣｍｍであり、多段偏平部２７を有する芯材２は外径がＢｍｍの円筒形であり、多段偏平状にプレス加工を施しても体積は変わらないと想定している。
【００３７】
Ｖ１、Ｖ２に基づく体積差の百分率は、座標の原点を寸法ａの始点Ｐで固定しており、寸法ａ、ｂ、ｃに依存せず、芯材２、２Ｈに関する径寸法Ａ、Ｂ、Ｃ（Ａ＞Ｂ＞Ｃ）で決まることが分かる。このため、各径寸法Ａ、Ｂ、Ｃを所定に算出することにより、Ｖ２とＶ１とに基づく体積差を所望の百分率に設定することができる。とりわけ、体積差の百分率を示す上記の公式を検討すると、径寸法Ｂ、Ｃに対する径寸法Ａの相対比率を大きく見積もることにより、多段偏平部２７を有する芯材２のほうがテーパ形状の芯材２Ｈに比較して、大きな空間域を浮力室５として占有することが分かる。
【００３８】
芯材２の先端側部２１に多段偏平部２７を形成することに伴い、屈曲狭窄病変部での深部挿入を可能とすることができる。すなわち、芯材２に多段偏平部２７を設けることにより、図２の（ロ）に示すように、各段差部Ｔ１、Ｔ２、Ｔ３毎に曲率半径ｒ１、ｒ２、ｒ３が順次大きくなるように異なった状態に多段偏平部２７が屈曲変形する。このため、先端側部２１の屈曲変形が容易になり、先端側部２１が屈曲狭窄病変部に沿って忠実に追従する利点が得られる。
【００３９】
チ）この発明のガイドワイヤ１は、機械的な特性を利用して血管内の深部までの挿入性が向上することの他に、浮力室５の浮力を利用して血流に乗せて血管内深部へ挿通する効果を併せ持つ。このため、この発明のガイドワイヤ１は、トルク伝達特性等の機械的要求特性を軽減させ、ガイドワイヤ１の芯材２を細径化することが可能となる。たとえば、ガイドワイヤ１の外径が０．０１４インチから０．０１０インチ（０．３５５ｍｍから０．２５４ｍｍ）へ、カテーテルは、７Ｆ〜８Ｆから５Ｆ、６Ｆ（内径２．３ｍｍ〜２．７ｍｍから内径１．７ｍｍ〜２．０ｍｍ）へ細径化することができる。これにより、低侵襲化の要請に応えることが可能で、手術時の患者負担が軽減できる。
【００４０】
実施例１の構成では、コイル体３は、コイル先部（不透過コイル）３１とコイル後部（透過コイル）３２とからなり、不透過コイル３１内に密閉された浮力室５を設けているため以下の効果を奏する。
【００４１】
血液中においてガイドワイヤ１の全体のバランスが改善され、先端部１２が大きく垂れ下がる不具合が解消できる。一般の経皮的経血管冠動脈治療法（ＰＴＣＡ）に用いられるガイドワイヤ１のコイル体３内部の芯材２は、透過コイル３２側から不透過コイル３１の先端に向かって徐々に細径化した構造になっていて、上記の如く、不透過コイル３１は比重が大きく、かつ芯材２の先端側部２１が細径化している。従って、ガイドワイヤ１の先端部１２は、自由状態において先端側ほど垂れ下がり易い構造となっている。
【００４２】
この発明では、芯材２が細くかつ比重の大きい不透過コイル３１部分に浮力室５を設けることにより、血液中において、不透過コイル３１が大きく垂れ下がることが有効に防止でき、一定のストレート状態を維持することができる。このように、血液流体内における先端部１２の垂れ下がりを軽減することにより、血管壁との接触、摩擦を軽減させて、解離または内膜剥離などの発生を防ぐことができる。
【００４３】
浮力室５が芯材２とコイル体３とを固定するロー付け部１０、気密壁１１および樹脂被覆４により気密性が確保され、密閉された状態となっている。芯材２の先端とコイル体３の先端とは、ボールハンダ（錫）又はロー材等を用いて隙間のない状態で固着され、不透過コイル３１の後端と芯材２とはボールハンダ（錫）又はロー材等を用いて隙間のない状態で固着する。その後、ポリウレタン被覆の樹脂被覆４を少なくとも浮力室５の全周囲に施す。
【００４４】
なお、樹脂被覆４は、コイル体３の全体、さらには芯材２全体に施してもよい。樹脂被覆４の形成方法としては、押出成形、ディッピング工法および熱収縮チューブによる成形方法など、いずれであってもよいが、浮力室５を密閉できることが必要である。コイル体３内に浮力室５を密閉して形成するためには、被覆形成時に加圧されて、浮力室５内に樹脂が入り込まずに気体が残存したままで形成できる熱収縮チューブによる成形方法またはディッピング工法が望ましい。特に、加圧されずに樹脂溶着端部処理が不要なディッピング工法が最も望ましい。
【００４５】
なお、浮力室５の外部への気体洩れを防ぐため、樹脂の二層被覆を行ってもよく、また二層構造としての最外層に血液と異なる粘性のある流動層（親水性ポリマー層）４２を設けた構造であってもよい。
【００４６】
この構造により、以下の作用効果がある。
コイル体３の外周部は、弾力性のある樹脂被覆４により密閉されているため、先端部１２が局部座屈変形しても浮力室５の内圧が増大して弾性変形し、かつこの増大した内圧により元に戻る復元力が発生する。また、樹脂被覆４は、塑性変形し易い細線の芯材２を保護する作用も合わせ持つ。
【００４７】
樹脂の二層構造、つまり第一層として固体層（ポリウレタン層）である樹脂被覆４、その外層に粘性のある流動層（親水性ポリマー層）４２を設けることにより、次の利点が得られる。
（ａ）例えば、樹脂被覆４に微細なピンホールあるいは傷などが発生している場合、親水性ポリマー層４２の液体粘性流動体を樹脂被覆４の全体に包被することにより、浮力室５内の気体が外部に漏れることを防いで浮力室５の密閉状態を維持することができる。
（ｂ）親水性ポリマー層４２の液体粘性流動体を樹脂被覆４の全体に包被することに伴い、血管壁との摩擦を軽減させることができる。
【００４８】
樹脂被覆４を、疎水性ポリマーと親水性ポリマーとの混合物から形成する場合、次のようにすることができる。
すなわち、疎水性ポリマーの重量比が親水性ポリマーの重量比よりも大きな第一層を有し、この第一層の外層側に親水性ポリマーの重量比が第一層における親水性ポリマーの重量比よりも大きくて、外層側からさらに外層方向に至るにつれて親水性ポリマーの重量比が次第に大きくなる層を有するようにすることである。これにより、浮力室５の密閉状態をさらに維持するとともに、樹脂被覆４と血管壁との摩擦を一段と軽減させることができる。
【実施例２】
【００４９】
図３は実施例２にかかるガイドワイヤ１を示す。この実施例では、コイル後部（透過コイル）３２の手元側端に、芯材２の手元側部２２を包む多条中空コイル体３３を接続し、芯材２の後端と多条中空コイル体３３の後端とをロー付け又は溶接している。
この際、手元側において、中実体を用いた例と、多条中空コイル体内に中実体の芯材２を用いた例とを比較した場合、手元側の外径が同一外径の時、外装に多条中空コイル体３３を用いれば、隣接素線間に凹状の隙間が生じているので、中実体の芯材に比べて軽量化を図ることができる。また、芯材２を血管に挿入する際、血液が多条中空コイル体３３に沿って流動することにより、芯材２に推進力を付与して狭窄病変部への深部挿入が可能となる。
【実施例３】
【００５０】
図４は実施例３にかかるガイドワイヤ１を示す。この実施例では、コイルは不透過コイル３１のみであり、ガイドワイヤ１の全体を樹脂被覆４で包囲している。実施例２および実施例３の構成でも、実施例１と同様の作用、効果を有する。
【実施例４】
【００５１】
図５の（イ）は、実施例４を示す。この実施例では、浮力室５を発泡体層（スポンジ）５１により形成している。
発泡体層５１は、芯材２とコイル体３とをロー付けした後、発泡材液の容器内にコイル体３の所定部位まで浸漬（ディッピング）して引き上げ、治具を通して付着した発泡材の外径を均一にして、発泡材が固化するまで放置、もしくは加熱する。その後、前記ディッピング工法などにより、コイル体３および芯材２の全体に樹脂被覆４を施す。なお、スプレー式の発泡材を用いてもよい。
【００５２】
発泡体層５１は樹脂（弾性体）に発泡剤を加えた材料を用い、樹脂はポリエステル、スチレン・メタクリル酸共重合体などのスチレン系樹脂、ポリエチレン、ポリプロピレン等のポリオレフィン系樹脂が使用できる。発泡剤としては、炭酸ガス等の揮発性発泡剤、炭酸アンモニウム等の分解性発泡剤など公知のものが使用できる。一例として、比重が０．０６〜０．３の架橋ポリオレフィン発泡体を用いる。
【００５３】
発泡体層５１は、ゴムに発泡剤を加えたものであってもよく、ゴム材料としてはシリコーンゴム、クロロプレンゴムを用いる。シリコーンゴム発泡剤としは、アゾビスイソブチロニトリルなど公知の発泡剤が使用できる。発泡体層５１の構造は、気泡が連続している連続気泡構造よりも独立気泡構造が望ましく、気泡の大きさは微細であることが望ましい。一例として、圧縮永久歪みに優れ、低比重（０．４１程度）で平均セル径が１１０μｍ程度の微細セル構造のシリコーンスポンジが望ましい。
【００５４】
実施例４の構成により、以下の特有の作用効果がある。
芯材２とコイル体３との間に発泡体層５１が介在するため、コイル体３の外周に樹脂被覆成形の際にコイル先部３１が押出成形によって加圧されても、コイル体３の内部に樹脂が入り込むことはない。発泡体層５１が独立気泡であれば、コイル体３の内部に樹脂が入り込むことをより一層有効に阻止でき、浮力室５が確保できる。また、発泡体層５１が弾性体であるため、芯材２およびコイル体３の塑性変形をより有効に阻止できるとともに弾性復元力を増大できる。
【００５５】
一般にコイル体３のコイル先部（不透過コイル）３１は、より柔軟性を付与するため、コイル線間に微小な隙間を設けている。このため、樹脂被覆（外被）４の成形時に、この隙間内に樹脂被覆４の樹脂が入り込んで柔軟性を阻害する。コイル体３の外周面まで発泡体層５１により一体化されているため、この弊害を防ぎ、コイル先部３１の柔軟性を安定維持できる。
【実施例５】
【００５６】
図５の（ロ）は実施例５を示す。この実施例では、浮力室５を繊維線または繊維束５２で形成している。繊維束５２に使用する繊維としては、ポリエチレン繊維、パラ系アラミド繊維、ＰＢＯ繊維を用い、形状は円形、異形いずれでもよいが、束状になしたとき、気体を多く含む形状がよく、中空糸が望ましい。また、太さは２〜１００μｍ程度を用い、束状もしくは紐状にしてもよい。ポリ乳酸など生体適合性に優れた生体内分解吸収ポリマー繊維を用いることもでき、この場合の繊維径は０．５〜５０μｍ、繊維長が３〜５０ｍｍ程度の生体内分解吸収ポリマーが有効である。
【００５７】
実施例５の構造により、以下の特有の作用効果を有する。
極細繊維（２〜１０μｍ）を用いることにより、比較的容易に多くの気体を包み込むことができる繊維束５２により浮力室５を形成できる。この浮力室５は繊維状のため、ガイドワイヤ１の先端部１２に要求される柔軟性を阻害することがない。また、紐状として芯材２に巻回して巻回する量により、浮力室５に占有する樹脂繊維量の調整ができ、比較的容易に浮力室５の形成ができる。生体内分解吸収性ポリマー繊維を用いる場合には、仮に血液流体内に洩れ出しても、体内で分解され、患者が違和感を覚えることがなく、合併症を誘発することもない。
【実施例６】
【００５８】
図６の（イ）は、実施例６を示す。この実施例では、浮力室５を発泡ビーズまたはマイクロバルーンなどの球状の中空粒体５３により形成している。発泡ビーズとしては、合成樹脂発泡ビーズを用い、材料は実施例４に示した材料を球状体に形成したものを使用する。この例として、比重０．０６〜０．５で５０〜１００μｍ程度の球状体を用いる。マイクロバルーンとしては、無機質材料の微小中空体を用いる。無機質材料としては、ガラス、アルミナ、シリカなどを用いてバルーン状に成形する。一例として、比重が０．２〜０．７、粒径が１〜１５０μｍを用いる。なお、これ単体で浮力室５を形成してもよく、バインダーとして各種樹脂とゴムとの混合体、および前記発泡体層５１、繊維束５２とを併用してもよい。一例として、前記発泡体層５１に比重０．２、粒径１０μｍ程度のマイクロバルーンを混合して用いる。
【００５９】
実施例６の構成では、以下の特有の作用効果を奏する。
ビーズまたはマイクロバルーンなどの球状の中空粒体５３は、発泡体でかつ球状構造であることから、たとえば多角形状とは異なり隣接中空粒子等との接触点が少なく、空隙を多く形成できる。無機質材料のマイクロバルーンを用いることにより、屈曲変形時の耐圧縮荷重に強く容易に変形することなく、内包された気体が外部に洩れることがない。さらに、軽量の気体、ヘリウムなどを封入させることにより、浮力を増大できる。
【００６０】
中空粒体５３のバインダーとして、発泡体層５１を用いることにより、容易に不透過コイル３１内に浮力室５が形成できると同時に、中空粒体５３内に軽量ガスを封入して、より浮力を増大させることができる。なお、この場合の製造方法としては、前記発泡体層５１にマイクロバルーンなど中空粒体５３を一定量混入させるのみで、実施例４と同様の工法で形成できる。
【実施例７】
【００６１】
図６の（ロ）は、実施例７を示す。この実施例においては、不透過コイル３１と芯材２との間に、発泡体層５１、繊維束５２、または中空粒体５３、もしくはこれらの複合体により浮力室５を形成している。コイル体３は、後端を芯材２とロー付けした構成でもよい。
【００６２】
実施例７の構成では、以下の特有の作用効果を奏する。
従来のガイドワイヤでは、外被の樹脂被覆４の成形時に芯材にコイル体が固定していないと、位置ずれを起こす。このため、芯材に不透過コイルを密着して接着またはかしめなどの手段により固着させており、先端部の柔軟性が損なわれている。
この発明のガイドワイヤ１では、コイル体３と芯材２との間は発泡体層５１、繊維束５２、または中空粒体５３により固着している。このため、コイル体３の内側凹凸形状との相乗作用により位置ずれを起こすことなく樹脂被覆４の成形ができ、先端部１２の柔軟性を損なう不具合が防止できるとともに、復元力増大による塑性変形の防止の効果がある。  
【００６３】
［他の実施例］
浮力室５は、図７に示す如く、不透過コイル３１の内側のみでなく、気密壁１１の後側に浮力室５Ａを形成してもよく、さらには、コイル体３の内側にロー付けにより複数の気密壁１４を設け、透過コイル３２の内側にも浮力室５Ａ、５Ｂ、５Ｃ…を形成して浮力を発生させてもよい。この場合には、コイル体３の全体を包被する樹脂被覆４により密閉状とするのが望ましく、コイル体３の先端部から手元側（芯材２）へ被覆を延長する。また、芯材２とコイル体３との固着は、ロー材のみでなく、密閉されていれば、プラズマ溶接、ティグ（ＴＩＧ）溶接など他の溶接を用いてもよい。なお、図示の如く、芯材２の大部分を包被してもよい。この場合、ガイドワイヤ１の先端部へ向かって浮力が増大する構造とし、浮力を選択的に変化させることも可能である。これにより、血液流体内で水平に保つことが可能で、遊泳特性を向上させることが容易になる。
【図面の簡単な説明】
【００６４】
【図１】ガイドワイヤ、芯材の正面図、断面図および側面図である。（実施例１）
【図２】（イ）は多段偏平部を有する芯材とテーパ状に形成された芯材との体積比較図、（ロ）は多段偏平部を有する芯材の作用説明図である。（実施例１）
【図３】ガイドワイヤの正面図および要部拡大断面図である。（実施例２）
【図４】ガイドワイヤの正面図である。（実施例３）
【図５】ガイドワイヤの先端部の拡大断面図である。（実施例４、５）
【図６】ガイドワイヤの先端部の拡大断面図である。（実施例６、７）
【図７】ガイドワイヤの断面図である。（他の実施例）
【符号の説明】
【００６５】
１    医療用ガイドワイヤ
１０  ロー付け部
１１  気密壁
１２  先端部
２    芯材
２１  芯材の先端側部（芯材先端部）
２２  手元側部（手元側）
２７  多段偏平部
３    コイルスプリング体（コイル体）
３１  コイル先部（放射線不透過部、不透過コイル）
３２  コイル後部（放射線透過部、透過コイル）
４    樹脂被覆
４２  流動層
５    浮力室
５１  発泡体層（発泡体）
５２  繊維束
５３  中空粒体（発泡ビーズ、マイクロバルーン）
【図１】
2007082943.tif 000003
【図２】
2007082943.tif 000004
【図３】
2007082943.tif 000005
【図４】
2007082943.tif 000006
【図５】
2007082943.tif 000007
【図６】
2007082943.tif 000008
【図７】
2007082943.tif 000009
【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
先端側に放射線不透過材からなる放射線不透過部を有し、前記放射線不透過部の後端側に放射線透過材からなる放射線透過部とを有するコイルスプリング体と、
前記放射線不透過部の前記コイルスプリング体内に、手元側が太径で先端側が先端側へ板厚を薄く設定した多段扁平部を設けて先端側から貫挿する芯材とを備え、
前記コイルスプリング体の先端と前記芯材の先端とを気密的に固着し、前記コイルスプリング体の外周に樹脂被覆を施した医療用ガイドワイヤにおいて、
前記放射線不透過部の前記コイルスプリング体の後端部に、前記芯材と前記コイルスプリング体とを気密的に固着する気密壁を設け、
前記コイルスプリング体の前記放射線不透過部内に、前記コイルスプリング体の先端と前記芯材の先端とを気密的に固着した部分と前記気密壁と前記樹脂被覆とによる浮力室を形成し、
前記浮力室により、前記放射線不透過部の屈曲変形時に前記浮力室内の気体圧力が増大し、また、屈曲変形の解消により、増大した内部圧力を元の状態に戻す前記浮力室内の弾性復元力を利用したことを特徴とする医療用ガイドワイヤ。
【請求項２】
請求項１に記載の医療用ガイドワイヤにおいて、
前記コイルスプリング体は、先端側に、ステンレス鋼線よりもスプリングバック量が小さい放射線不透過材からなる前記放射線不透過部を有することを特徴とする医療用ガイドワイヤ。
【請求項３】
請求項１に記載の医療用ガイドワイヤにおいて、
前記コイルスプリング体は、先端側に、ステンレス鋼線よりもスプリングバック量が小さい放射線不透過材からなる前記放射線不透過部を有し、前記放射線不透過部の後端側に、ステンレス鋼線からなる前記放射線透過部を有し、
前記放射線不透過部は、前記放射線透過部よりも外径が径小であることを特徴とする医療用ガイドワイヤ。
【請求項４】
請求項１〜３のいずれか１つに記載の医療用ガイドワイヤにおいて、
前記コイルスプリング体は、放射線不透過材と放射線透過材とを溶接により接合して、縮径伸線加工後の線材をコイル状に螺旋巻きして形成され、先端側を前記放射線不透過材のコイル体にしたことを特徴とする医療用ガイドワイヤ。
【請求項５】
請求項１〜３のいずれか１つに記載の医療用ガイドワイヤにおいて、
前記樹脂被覆は、疎水性被覆の固体層である第一層と、親水性被覆の流動層である第二層とから成っていることを特徴とする医療用ガイドワイヤ。
【請求項６】
請求項１〜３のいずれか１つに記載の医療用ガイドワイヤにおいて、
前記樹脂被覆は、疎水性ポリマーと親水性ポリマーとの混合物から成り、
前記疎水性ポリマーの重量比が前記親水性ポリマーの重量比よりも大きな第一層を有し、この第一層の外層側に前記親水性ポリマーの重量比が前記第一層における前記親水性ポリマーの重量比よりも大きくて、前記外層側からさらに外層方向に至るにつれて前記親水性ポリマーの重量比が次第に大きくなる層を設けたことを特徴とする医療用ガイドワイヤ。
【請求項７】
請求項１〜６のいずれか１つに記載の医療用ガイドワイヤにおいて、
前記芯材と前記コイルスプリング体がロー材等により固定された前記浮力室は、発泡体を封入して形成されていることを特徴とする医療用ガイドワイヤ。
【請求項８】
請求項１〜６のいずれか１つに記載の医療用ガイドワイヤにおいて、
前記芯材と前記コイルスプリング体がロー材等により固定された前記浮力室は、発泡ビーズまたはマイクロバルーンを封入して形成されていることを特徴とする医療用ガイドワイヤ。
【請求項９】
請求項１〜８のいずれか１つに記載の医療用ガイドワイヤとカテーテルとの組立体において、
前記医療用ガイドワイヤの外径は、概ね０．２５４ｍｍ（０．０１０インチ）で、内径が概ね１．７ｍｍから２．０ｍｍの前記カテーテル内へ挿入されるようになっていることを特徴とする医療用ガイドワイヤとカテーテルとの組立体。
【手続補正３】
【補正対象書類名】明細書
【補正対象項目名】０００７
【補正方法】変更
【補正の内容】
【０００７】
請求項１に記載の発明は、先端側に放射線不透過材からなる放射線不透過部を有し、放射線不透過部の後端側に放射線透過材からなる放射線透過部とを有するコイルスプリング体と、放射線不透過部のコイルスプリング体内に、手元側が太径で先端側が先端側へ板厚を薄く設定した多段扁平部を設けて先端側から貫挿する芯材とを備え、コイルスプリング体の先端と芯材の先端とを気密的に固着し、コイルスプリング体の外周に樹脂被覆を施した医療用ガイドワイヤにおいて、放射線不透過部のコイルスプリング体の後端部に、芯材とコイルスプリング体とを気密的に固着する気密壁を設け、コイルスプリング体の放射線不透過部内に、コイルスプリング体の先端と芯材の先端とを気密的に固着した部分と気密壁と樹脂被覆とによる浮力室を形成し、浮力室により、放射線不透過部の屈曲変形時に浮力室内の気体圧力が増大し、また、屈曲変形の解消により、増大した内部圧力を元の状態に戻す浮力室内の弾性復元力を利用したことを特徴とする。
【手続補正４】
【補正対象書類名】明細書
【補正対象項目名】０００８
【補正方法】変更
【補正の内容】
【０００８】
この構成では、ガイドワイヤの先端部に形成した浮力室が、血管内で血液ないし血流により浮力を受けるため、重力によるガイドワイヤ先端部の垂れ下がりが防止でき、ガイドワイヤの操作性が向上する。
【手続補正５】
【補正対象書類名】明細書
【補正対象項目名】０００９
【補正方法】変更
【補正の内容】
【０００９】
芯材先端部に多段偏平部を形成することに伴い、屈曲狭窄病変部での深部挿入を可能とすることができる。すなわち、芯材に多段偏平部を設けることにより、各段差部毎の曲率半径が順次大きくなるように異なった状態に芯材先端部が屈曲変形する。このため、芯材先端部の屈曲変形が容易になり、芯材先端部が屈曲狭窄病変部に沿って忠実に追従しながら進行する利点が得られる。
請求項２に記載の発明は、コイルスプリング体は、先端側に、ステンレス鋼線よりもスプリングバック量が小さい放射線不透過材からなる放射線不透過部を有することを特徴とする。
請求項３に記載の発明は、コイルスプリング体は、先端側に、ステンレス鋼線よりもスプリングバック量が小さい放射線不透過材からなる放射線不透過部を有し、放射線不透過部の後端側に、ステンレス鋼線からなる放射線透過部を有し、放射線不透過部は、放射線透過部よりも外径が径小であることを特徴とする。
【手続補正６】
【補正対象書類名】明細書
【補正対象項目名】００１０
【補正方法】変更
【補正の内容】
【００１０】
請求項４に記載の発明は、コイルスプリング体は、放射線不透過材と放射線透過材とを溶接により接合して、縮径伸線加工後の線材をコイル状に螺旋巻きして形成され、先端側を放射線不透過材のコイル体にしたことを特徴とする。
従来の医療用ガイドワイヤは、放射線透視下で使用されるため、放射線不透過コイル体と放射線透過コイル体との組合わせを用いている。この場合、放射線不透過コイル体と放射線透過コイル体とは、コイル部分をねじ込み合った重合部分にハンダ又はロー材等を用いて接合している。
これに対して、請求項４では、コイルスプリング体をコイル状に螺旋巻きするに先立って、放射線不透過材と放射線透過材とを溶接により接合しているので、ハンダやロー材等が不要となり、軽量化を達成して浮力性能の向上に寄与することができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項５に記載の発明は、樹脂被覆は、疎水性被覆の固体層である第一層と、親水性被覆の流動層である第二層とから成っていることを特徴とする。
この場合、疎水性被覆の固体層とは、ポリウレタン、ポリエチレン、ポリアミドなどにより被覆された固体層のことをいう。親水性被覆の流動層とは、湿潤時に潤滑特性を示す流動層のことをいい、具体的には、ポリビニルピロリドン、無水マレイン酸エチルエステル共重合体およびポリエチレンオキサイドなどによるものである。
【手続補正９】
【補正対象書類名】明細書
【補正対象項目名】００１３
【補正方法】変更
【補正の内容】
【００１３】
請求項６に記載の発明は、樹脂被覆は、疎水性ポリマーと親水性ポリマーとの混合物から成り、疎水性ポリマーの重量比が親水性ポリマーの重量比よりも大きな第一層を有し、この第一層の外層側に親水性ポリマーの重量比が第一層における親水性ポリマーの重量比よりも大きくて、外層側からさらに外層方向に至るにつれて親水性ポリマーの重量比が次第に大きくなる層を設けたことを特徴とする。
【手続補正１０】
【補正対象書類名】明細書
【補正対象項目名】００１５
【補正方法】変更
【補正の内容】
【００１５】
請求項７に記載の発明において、芯材とコイルスプリング体がロー材等により固定された浮力室は、発泡体を封入して形成されていることを特徴とする。浮力室への発泡体の封入により、芯材およびコイルスプリング体の塑性変形を効果的に阻止し、弾性復元力を増大することができる。
【手続補正１１】
【補正対象書類名】明細書
【補正対象項目名】００１６
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
請求項９に記載の医療用ガイドワイヤとカテーテルとの組立体において、医療用ガイドワイヤの外径は概ね０．２５４ｍｍ（０．０１０インチ）で、内径が概ね１．７ｍｍから２．０ｍｍのカテーテル内へ挿入されるようになっていることを特徴とする。
この場合、浮力室の浮力を利用し、医療用ガイドワイヤの先端部を血流に乗せて血管内深部に挿入することができるので、芯材の細径化に伴い、カテーテルの細径化が可能となって病変部に対する低侵襲性の要請に応え、施術時、患者への負担軽減に寄与することができる。
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】変更
【補正の内容】
【００３８】
芯材２の先端側部２１に多段偏平部２７を形成することに伴い、屈曲狭窄病変部での深部挿入を可能とすることができる。すなわち、芯材２に多段偏平部２７を設けることにより、図２に示すように、各段差部Ｔ１、Ｔ２、Ｔ３毎に曲率半径ｒ１、ｒ２、ｒ３が順次大きくなるように異なった状態に多段偏平部２７が屈曲変形する。このため、先端側部２１の屈曲変形が容易になり、先端側部２１が屈曲狭窄病変部に沿って忠実に追従する利点が得られる。
【手続補正２３】
【補正対象書類名】明細書
【補正対象項目名】００６４
【補正方法】変更
【補正の内容】
【００６４】
【図１】ガイドワイヤ、芯材の正面図、断面図および側面図である。（実施例１）
【図２】多段偏平部を有する芯材の作用説明図である。（実施例１）
【図３】ガイドワイヤの正面図および要部拡大断面図である。（実施例２）
【図４】ガイドワイヤの正面図である。（実施例３）
【図５】ガイドワイヤの先端部の拡大断面図である。（実施例４、５）
【図６】ガイドワイヤの先端部の拡大断面図である。（実施例６、７）
【図７】ガイドワイヤの断面図である。（他の実施例）
【手続補正２４】
【補正対象書類名】図面
【補正対象項目名】図２
【補正方法】変更
【補正の内容】
【図２】
2007082943.tif 000010